(57)【要約】      （修正有）【課題】着用する人の周辺の空気を浄化するウェアラブルスマートウォッチを提供する。【解決手段】本発明のウェアラブルスマートウォッチは、バンド１及びケース２を備える。ケースには、さらに通信処理モジュールが設けられ、通信処理モジュールは放熱部材を含み、放熱部材は感熱式ダイオードスイッチ回路と接続され、感熱式ダイオードスイッチ回路は発振器回路と接続され、発振器回路は増幅回路と接続され、増幅回路は昇圧回路と接続され、昇圧回路は放電管と接続される。そのうち、感熱式ダイオードスイッチ回路が閉じられた場合、発振器回路が動作してパルス信号を生成し、パルス信号が増幅回路で増幅された後に、さらに昇圧回路で昇圧され、最終的に放電管が放電することで空気を浄化させる。【選択図】図１
2018110464.tif 000002
【特許請求の範囲】
【請求項１】
バンド及びケースを備えるウェアラブルスマートウォッチであって、
前記ケースにはさらに通信処理モジュールが設けられ、前記通信処理モジュールは放熱部材を有し、前記放熱部材は感熱式ダイオードスイッチ回路に接続され、前記感熱式ダイオードスイッチ回路はトライオードＶＴ１と感熱式ダイオードＶＤ１とを含み、さらに、ダイオードＶＤ２、ダイオードＶＤ３、ダイオードＶＤ４、抵抗Ｒ２、抵抗Ｒ３、抵抗Ｒ４及び抵抗Ｒ５、キャパシタＣ１、キャパシタＣ２、キャパシタＣ３及びキャパシタＣ４、ポテンショメータＲＰ、トライオードＶＴ２、トランスＴ、放電管Ｎ４０、集積回路ＩＣを含み、
前記キャパシタＣ１は電源の両端に接続され、前記トライオードＶＴ１のベースは前記感熱式ダイオードＶＤ１の負極に接続され、前記トライオードＶＴ１のエミッタは前記抵抗Ｒ２に接続され、コレクターは前記感熱式ダイオードＶＤ１の正極に接続され、前記感熱式ダイオードＶＤ１は前記キャパシタＣ２を介して接地され、前記抵抗Ｒ３と前記キャパシタＣ２は並列に接続され、前記集積回路ＩＣはインバータＦ１、インバータＦ２、インバータＦ３、インバータＦ４、インバータＦ５及びインバータＦ６を含み、前記インバータＦ１は集積回路ＩＣの第１ピンと第２ピンに接続され、前記インバータＦ２は前記集積回路ＩＣの第３ピンと第４ピンに接続され、前記インバータＦ３は前記集積回路ＩＣの第５ピンと第６ピンに接続され、前記インバータＦ４は前記集積回路ＩＣの第８ピンと第９ピンに接続され、前記インバータＦ５は前記集積回路ＩＣの第１０ピンと第１１ピンに接続され、前記インバータＦ６は前記集積回路ＩＣの第１２ピンと第１３ピンに接続され、前記集積回路ＩＣの第１ピンは前記感熱式ダイオードＶＤ１の正極、前記キャパシタＣ２及び前記抵抗Ｒ３の一端とそれぞれ接続され、前記集積回路ＩＣの第２ピンは前記ダイオードＶＤ２の負極と接続され、前記集積回路ＩＣの第３ピンは前記キャパシタＣ３と接続されるとともに、前記キャパシタＣ３を介して接地され、前記集積回路ＩＣの第４ピンは前記ダイオードＶＤ３と接続され、前記ダイオードＶＤ３は前記抵抗Ｒ４を介して接地され、前記集積回路ＩＣの第５ピンは前記抵抗Ｒ４の一端と接続され、前記集積回路ＩＣの第６ピンは前記ポテンショメータＲＰと接続され、前記ポテンショメータＲＰの一端は前記キャパシタＣ４と接続され、もう一端は前記集積回路ＩＣの第９ピン、第１１ピン及び第１３ピンに接続され、前記集積回路ＩＣの第７ピンは接地され、前記第９ピン、前記第１０ピン、前記第１２ピンは前記抵抗Ｒ５と接続され、前記集積回路ＩＣの第１４ピンは電源と接続されることを特徴とするウェアラブルスマートウォッチ。
【請求項２】
手動スイッチアセンブリをさらに備え、前記手動スイッチアセンブリと前記感熱式ダイオードスイッチ回路の間はスイッチＫで切り替えられることを特徴とする請求項１に記載のウェアラブルスマートウォッチ。
【請求項３】
前記手動スイッチアセンブリは、プッシュボタンＡＮと抵抗Ｒ１とを含むことを特徴とする請求項２に記載のウェアラブルスマートウォッチ。
【請求項４】
前記感熱式ダイオードスイッチ回路は、感熱式ダイオードＶＤ１と、前記感熱式ダイオードＶＤ１に接続されるトライオードＶＴ１とを含むことを特徴とする請求項１に記載のウェアラブルスマートウォッチ。
【請求項５】
バンド及びケースを備えるウェアラブルスマートウォッチであって、
前記ケースにはさらに通信処理モジュールが設けられ、前記通信処理モジュールは放熱部材を含み、前記放熱部材は感熱式ダイオードスイッチ回路と接続され、前記感熱式ダイオードスイッチ回路は発振器回路と接続され、前記発振器回路は増幅回路と接続され、前記増幅回路は昇圧回路と接続され、前記昇圧回路は放電管と接続され、
前記感熱式ダイオードスイッチ回路が閉じられた場合、前記発振器回路が動作してパルス信号を生成し、該パルス信号が前記増幅回路で増幅された後に、前記昇圧回路で昇圧され、最終的に放電管が放電することで空気を浄化することを特徴とするウェアラブルスマートウォッチ。
【請求項６】
手動スイッチアセンブリをさらに備え、前記手動スイッチアセンブリと前記感熱式ダイオードスイッチ回路の間はスイッチＫで切り替えられることを特徴とする請求項５に記載のウェアラブルスマートウォッチ。
【請求項７】
前記手動スイッチアセンブリは、プッシュボタンＡＮと抵抗Ｒ１とを含むことを特徴とする請求項６に記載のウェアラブルスマートウォッチ。
【請求項８】
前記感熱式ダイオードスイッチ回路は、感熱式ダイオードＶＤ１と、前記感熱式ダイオードＶＤ１に接続されるトライオードＶＴ１とを含むことを特徴とする請求項５に記載のウェアラブルスマートウォッチ。
【発明の詳細な説明】
【技術分野】
【０００１】
本発明は、携帯電話やウォッチの技術分野に関し、さらに具体的に言えば、本発明はウェアラブルスマートウォッチに関する。
【０００２】
スマートウェアラブルデバイスとは、ウェアラブル技術を用いて日常の着用物に対してスマート化の設計を行うことで開発されたウェアラブルデバイスの総称である。例えば、メガネ、手袋、ウォッチ、ウエア及び靴などが挙げられる。そのうち、ウェアラブルスマートウォッチは現在において商品化の進行度が高い製品であり、既存のウェアラブルスマートウォッチの構造に基づいて如何にその機能を拡張するかは産業界が直面している課題である。
【発明の概要】
【発明が解決しようとする課題】
【０００３】
本発明は上述課題に鑑みてなされたものであり、本発明の実施例は、上記課題の一部または全てを解決したウェアラブルスマートウォッチを提供し、ウェアラブルスマートウォッチの通信機能を実現するだけでなく、そのウォッチを着用する人の周辺の空気に対して浄化を行うことができるウェアラブルスマートウォッチである。
【課題を解決するための手段】
【０００４】
上述課題を解決するために、本発明は以下の技術構成を用いる。
【０００５】
バンド及びケースを備えるウェアラブルスマートウォッチであって、
前記ケースにはさらに通信処理モジュールが設けられ、前記通信処理モジュールは放熱部材を有し、前記放熱部材は感熱式ダイオードスイッチ回路に接続され、前記感熱式ダイオードスイッチ回路はトライオードＶＴ１と感熱式ダイオードＶＤ１とを含み、さらに、ダイオードＶＤ２、ＶＤ３、ＶＤ４、抵抗Ｒ２、Ｒ３、Ｒ４及びＲ５、キャパシタＣ１、Ｃ２、Ｃ３及びＣ４、ポテンショメータＲＰ、トライオードＶＴ２、トランスＴ、放電管Ｎ４０、集積回路ＩＣを含み；
そのうち、キャパシタＣ１は電源の両端に接続され、トライオードＶＴ１のベースは感熱式ダイオードＶＤ１の負極に接続され、トライオードＶＴ１のエミッタは抵抗Ｒ２に接続され、コレクターは感熱式ダイオードＶＤ１の正極に接続され、感熱式ダイオードＶＤ１はキャパシタＣ２を介して接地され、抵抗Ｒ３とＣ２は並列接続され、前記集積回路ＩＣはインバータＦ１、Ｆ２、Ｆ３、Ｆ４、Ｆ５及びＦ６を含み、前記インバータＦ１は集積回路ＩＣの第１ピンと第２ピンに接続され、前記インバータＦ２は集積回路ＩＣの第３ピンと第４ピンに接続され、前記インバータＦ３は集積回路ＩＣの第５ピンと第６ピンに接続され、前記インバータＦ４は集積回路ＩＣの第８ピンと第９ピンに接続され、前記インバータＦ５は集積回路ＩＣの第１０ピンと第１１ピンに接続され、前記インバータＦ６は集積回路ＩＣの第１２ピンと第１３ピンに接続され、集積回路ＩＣの第１ピンはそれぞれ感熱式ダイオードＶＤ１の正極、キャパシタＣ２及び抵抗Ｒ３の一端と接続され、集積回路ＩＣの第２ピンはダイオードＶＤ２の負極と接続され、集積回路ＩＣの第３ピンはキャパシタＣ３と接続されるとともに、キャパシタＣ３を介して接地され、集積回路ＩＣの第４ピンはダイオードＶＤ３と接続され、前記ダイオードＶＤ３は抵抗Ｒ４を介して接地され、集積回路ＩＣの第５ピンは抵抗Ｒ４の一端と接続され、集積回路ＩＣの第６ピンはポテンショメータＲＰと接続され、前記ポテンショメータＲＰの一端はキャパシタＣ４と接続され、もう一端は集積回路ＩＣの第９ピン、第１１ピン及び第１３ピンに接続され、集積回路ＩＣの第７ピンは接地され、第９ピン、第１０ピン、第１２ピンは抵抗Ｒ５と接続され、集積回路ＩＣの第１４ピンは電源と接続される。
【０００６】
また、手動スイッチアセンブリをさらに備えることもでき、前記手動スイッチアセンブリと感熱式ダイオードスイッチ回路の間はスイッチＫで切り替えられる。
【０００７】
そのうち、手動スイッチアセンブリは、プッシュボタンＡＮと抵抗Ｒ１とを含む。
【０００８】
そのうち、前記感熱式ダイオードスイッチ回路は、感熱式ダイオードＶＤ１と、前記感熱式ダイオードＶＤ１に接続されるトライオードＶＴ１とを含む。
【０００９】
対応するように、本発明の実施例が提供するウェアラブルスマートウォッチは、バンド及びケースを備え、前記ケースにはさらに通信処理モジュールが設けられ、前記通信処理モジュールは放熱部材を含み、前記放熱部材は感熱式ダイオードスイッチ回路と接続され、前記感熱式ダイオードスイッチ回路は発振器回路と接続され、前記発振器回路は増幅回路と接続され、前記増幅回路は昇圧回路と接続され、前記昇圧回路は放電管と接続され；
そのうち、前記感熱式ダイオードスイッチ回路が閉じられた場合、発振器回路が動作してパルス信号を生成し、パルス信号が前記増幅回路で増幅された後に、さらに昇圧回路で昇圧され、最終的に放電管が放電することで空気を浄化させる。
【発明の効果】
【００１０】
本発明の実施例におけるウェアラブルスマートウォッチは、バンド及びケースを備え、前記ケースにはさらに通信処理モジュールが設けられ、前記通信処理モジュールは放熱部材を含み、前記放熱部材は感熱式ダイオードスイッチ回路と接続され、前記感熱式ダイオードスイッチ回路は発振器回路と接続され、前記発振器回路は増幅回路と接続され、前記増幅回路は昇圧回路と接続され、前記昇圧回路は放電管と接続され；そのうち、前記感熱式ダイオードスイッチ回路が閉じられた場合、発振器回路が動作してパルス信号を生成し、パルス信号が前記増幅回路で増幅された後に、さらに昇圧回路で昇圧され、最終的に放電管が放電することで空気を浄化させる。
【図面の簡単な説明】
【００１１】
【図１】図１は本発明のウェアラブルスマートウォッチの全体を示す図である。
【図２】図２は本発明のウェアラブルスマートウォッチにおける通信処理モジュールの構造を示す図である。
【図３】図３は本発明のウェアラブルスマートウォッチで空気浄化機能を実現するブロック図である。
【図４】図４は本発明のウェアラブルスマートウォッチが拡張機能を実現する１つ具体的な実施例の回路図である。
【図５】図５は本発明のウェアラブルスマートウォッチにおける集積回路の具体的な構造を示す図である。
【発明を実施するための形態】
【００１２】
以下において、本発明の実施例中の図面を参照しながら、本発明の実施例中の技術構成について明確、完全に説明する。
【００１３】
図１は本発明のウェアラブルスマートウォッチの全体を示す図である。具体的には、本実施例におけるウェアラブルスマートウォッチは、通常のウォッチと似たような構造を有し、いずれもバンド１及びケース２を含むものである。ケース２にはさらに通信処理モジュール２１が設けられ、通信処理モジュール２１は通信機能を実現でき、即ちウォッチは外部と通信を行い、通話又はデータ交換などの処理を行うことができる。通信処理モジュールは長期間動作した場合に大量の熱が生じるため、本実施例における通信処理モジュールは、さらに放熱部材２１１を含む。
【００１４】
さらに説明すれば、本実施例はウェアラブルスマートウォッチの機能を拡張させることができる。即ち、本実施例のウェアラブルスマートウォッチは空気を浄化する機能を実現できる。具体的には、この機能を実現するために、本実施例には感熱式ダイオードスイッチ回路２１２を含む。例えば、感熱式ダイオードＶＤ１と、感熱式ダイオードＶＤ１に接続されるトライオードＶＴ１からなる感熱式ダイオードスイッチ回路である。
【００１５】
本実施例における感熱式ダイオードスイッチ回路２１２と発振器回路２１３は接続され、発振器回路２１３と増幅回路２１４は接続され、増幅回路２１４と昇圧回路２１５は接続され、昇圧回路２１５と放電管２１６は接続されている。
【００１６】
具体的な動作プロセスは以下に示す通りである。
【００１７】
感熱式ダイオードスイッチ回路２１２が閉じられた場合、発振器回路２１３が動作してパルス信号を生成し、パルス信号が増幅回路２１４で増幅された後に、さらに昇圧回路２１５で昇圧され、最終的に放電管２１６が放電することで空気を浄化させる。
【００１８】
さらに説明すれば、本実施例はさらに効果的に電力消費を低減させることができる。具体的には、本実施例における放熱部材２１１と感熱式ダイオードスイッチ回路２１２は接続されている。本実施例における感熱式ダイオードは、温度制御スイッチに相当し、周辺の温度が正常である場合、回路が導通され、外部要因の影響を受けて周辺温度が上昇し動作温度に達したとき切断され、回路全体が切断される。即ち、本実施例における感熱式ダイオードは、放熱部材２１１から伝導される熱量に応じて、放熱部材２１１から伝導される熱量が比較的大きい場合、ウェアラブルスマートウォッチの現在の電力消費が大きいため、電力消費を低減する必要があることを示し、本実施例において放熱部材２１１は感熱式ダイオードスイッチ回路２１２と接続されているため、放熱部材２１１から伝導される熱量がある程度蓄積され又は温度が所定温度に達した場合、感熱式ダイオードスイッチ回路２１２がオフになり、空気浄化を実現する回路も遮断され、これによりウェアラブルスマートウォッチの電力消費を効果的に低減させる。
【００１９】
また、さらに説明すれば、本実施例ではさらに手動で空気浄化機能をオフにすることができる。即ち、本実施例におけるウェアラブルスマートウォッチはさらに、手動スイッチ回路アセンブリを含むこともでき、手動スイッチアセンブリと感熱式ダイオードスイッチ回路の間はスイッチＫで切り替えられる。具体的に実現する場合には、手動スイッチアセンブリはプッシュボタンＡＮと抵抗Ｒ１とを含むことができるが、ここでは再度説明しない。
【００２０】
さらに、電力消費を低減するために、本実施例のウェアラブルスマートウォッチのケースに空気測定処理モジュールを設置することもできる。空気の質が基準に達すると測定された場合、空気浄化機能をオフにする機能を起動し、即ち、感熱式ダイオードスイッチ回路、発振器回路などの空気浄化を実現する回路を遮断することで、ウェアラブルスマートウォッチの電力消費を低減させる。
【００２１】
以下において、具体的な回路を用いて説明する。
【００２２】
図４は本発明のウェアラブルスマートウォッチが拡張機能を実現する場合の具体的な実施例の回路図である。
【００２３】
本実施例におけるウェアラブルスマートウォッチは、バンド及びケースを含み、ケースにはさらに通信処理モジュールが設けられ、通信処理モジュールは放熱部材を有し、放熱部材は感熱式ダイオードスイッチ回路に接続され、本実施例における感熱式ダイオードスイッチ回路はトライオードＶＴ１と感熱式ダイオードＶＤ１とを含み、さらに、ダイオードＶＤ２、ＶＤ３、ＶＤ４、抵抗Ｒ２、Ｒ３、Ｒ４及びＲ５、キャパシタＣ１、Ｃ２、Ｃ３及びＣ４、ポテンショメータＲＰ、トライオードＶＴ２、トランスＴ、放電管Ｎ４０、集積回路ＩＣを含む。
【００２４】
そのうち、キャパシタＣ１は電源の両端に接続され、トライオードＶＴ１のベースは感熱式ダイオードＶＤ１の負極に接続され、トライオードＶＴ１のエミッタは抵抗Ｒ２に接続され、コレクターは感熱式ダイオードＶＤ１の正極に接続され、感熱式ダイオードＶＤ１はキャパシタＣ２を介して接地され、抵抗Ｒ３とＣ２は並列接続される。図５に示すように、本実施例の集積回路ＩＣはインバータＦ１、Ｆ２、Ｆ３、Ｆ４、Ｆ５及びＦ６を含み、インバータＦ１は集積回路ＩＣの第１ピンと第２ピンに接続され、インバータＦ２は集積回路ＩＣの第３ピンと第４ピンに接続され、インバータＦ３は集積回路ＩＣの第５ピンと第６ピンに接続され、インバータＦ４は集積回路ＩＣの第８ピンと第９ピンに接続され、インバータＦ５は集積回路ＩＣの第１０ピンと第１１ピンに接続され、インバータＦ６は集積回路ＩＣの第１２ピンと第１３ピンに接続され、集積回路ＩＣの第１ピンはそれぞれ感熱式ダイオードＶＤ１の正極、キャパシタＣ２及び抵抗Ｒ３の一端と接続され、集積回路ＩＣの第２ピンはダイオードＶＤ２の負極と接続され、集積回路ＩＣの第３ピンはキャパシタＣ３と接続されるとともに、キャパシタＣ３を介して接地され、集積回路ＩＣの第４ピンはダイオードＶＤ３と接続され、ダイオードＶＤ３は抵抗Ｒ４を介して接地され、集積回路ＩＣの第５ピンは抵抗Ｒ４の一端と接続され、集積回路ＩＣの第６ピンはポテンショメータＲＰと接続され、ポテンショメータＲＰの一端はキャパシタＣ４と接続され、もう一端は集積回路ＩＣの第９ピン、第１１ピン及び第１３ピンに接続され、集積回路ＩＣの第７ピンは接地され、第９ピン、第１０ピン、第１２ピンは抵抗Ｒ５と接続され、集積回路ＩＣの第１４ピンは電源と接続される。
【００２５】
また、制御しやすいようにするために、本実施例はさらに手動スイッチアセンブリを含むこともできる。手動スイッチアセンブリと感熱式ダイオードスイッチ回路の間はスイッチＫで切り替えられる。具体的に実現する際に、例えば、手動スイッチアセンブリはプッシュボタンＡＮと抵抗Ｒ１とを含むことができる。これにより、プッシュボタンＡＮが押されると、電圧は抵抗Ｒ１を介して集積回路ＩＣの第１ピンに印加され、発振器が起動され、プッシュボタンＡＮが放されると、抵抗Ｒ３の作用で集積回路ＩＣの第１ピンがローレベルになり、発振器は遅延後に自動的に停止する。
【００２６】
さらに説明すれば、上記実施例におけるＦ３、Ｆ４、Ｆ５、Ｆ６及び抵抗Ｒ４、ポテンショメータＲＰ、キャパシタＣ４は発振器となることができる。Ｗにより発振周波数を調整する。好ましくは、本実施例のＦ４、Ｆ５、Ｆ６を並列接続して使用することで、駆動力を増大させる。
【００２７】
また、さらに説明すると、Ｆ１、Ｆ２及びそれらの周辺素子Ｃ２、Ｒ３及びＶＤ２は遅延回路となることができ、これにより動作時間が長くなるとともに、ゆっくり回路を遮断することで、放電管の頻繁な切り替えによる損害を避けることができる。本実施例において、放熱部材２１１から感熱式ダイオードに伝導される熱量が所定の条件に満たさない場合、感熱式ダイオードＶＤ１が導通され、ＶＴ１が導通され、電源電圧がＶＴ１のａ−ｃ極によりＦ１の入力端の集積回路ＩＣの第１ピンに印加される。この際、集積回路ＩＣの第２ピンがローレベル、第３ピンがローレベル、第４、５ピンがハイレベルであり、即ち、発振器が動作を始め、生成したパルス信号がトライオードＶＴ２により増幅され後、トランスＴにより昇圧されて高圧となり、高圧が放電管を通ることで例えばオゾン等を生成し空気を浄化させる。
【００２８】
本実施例において、放熱部材２１１から感熱式ダイオードに伝導される熱量が所定の条件に達した場合、感熱式ダイオードＶＤ１が遮断され、ＶＴ１も遮断され、抵抗Ｒ３の作用により集積回路ＩＣの第１ピンがローレベルになり、第２ピンがハイレベルになる。Ｃ３はＲ２により充電され、一定の時間を経て、Ｃ３のレベルが論理的なハイレベルになった時、Ｆ２がローレベル（第４ピンがローレベル）を出力し、ＶＤ３が導通され、第５ピンがローレベルになり、発振器の動作が停止する。
【００２９】
さらに説明すれば、精密な制御を実現するために、上記実施例においては放熱部材が伝導する熱量の範囲に応じて対応の感熱式ダイオードを選択できるが、ここでは再度説明しない。
【図１】
2018110464.tif 000003
【図２】
2018110464.tif 000004
【図３】
2018110464.tif 000005
【図４】
2018110464.tif 000006
【図５】
2018110464.tif 000007
【外国語明細書】
2018110464000001.pdf